(57)【要約】  本明細書の実施形態は、無線通信ネットワーク（１）における無線デバイスの通信をハンドリングするための、無線ネットワークノードによって実施される方法に関する。無線ネットワークノードは、無線デバイスについて、無線デバイスのモードおよび能力に基づいて使用すべき無線リソースのプールを設定し、モードは、無線リソースを選択する様式によって規定されるリソースモードであり、能力は、無線デバイスのサイドリンク能力に関係する。【選択図】図２
2021500763.tif 000002
【特許請求の範囲】
【請求項１】
無線通信ネットワーク（１）における無線デバイスの通信をハンドリングするための、無線ネットワークノードによって実施される方法であって、前記方法は、
−  無線デバイスについて、前記無線デバイスのモードおよび能力に基づいて使用すべき無線リソースのプールを設定すること（３１１）であって、前記モードが、無線リソースを選択する様式によって規定されるリソースモードであり、前記能力が、前記無線デバイスのサイドリンク能力に関係する、無線リソースのプールを設定すること（３１１）
を含む、方法。
【請求項２】
−  １つまたは複数の無線デバイスにデータを送信すること（３１２）であって、前記データが、無線リソースの前記設定されたプールを指示する、データを送信すること（３１２）
をさらに含む、請求項１に記載の方法。
【請求項３】
前記リソースモードが、前記無線デバイスにおいてまたは前記無線ネットワークノードにおいて無線リソースを選択することによって規定される、請求項１または２に記載の方法。
【請求項４】
前記サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力である、請求項１から３のいずれか一項に記載の方法。
【請求項５】
前記サイドリンク能力が、前記無線デバイスのバージョンによって規定される、請求項１から４のいずれか一項に記載の方法。
【請求項６】
前記プールが無線リソースの少なくとも２つのプールを備え、無線リソースの第１のプールが、第１のモードおよび第１の能力の無線デバイスによって使用されるように設定され、無線リソースの第２のプールが、第２のモードおよび前記第１の能力および／または第２の能力の無線デバイス、あるいは前記第１のモードおよび前記第２の能力の無線デバイスによって使用されるように設定された、請求項１から５のいずれか一項に記載の方法。
【請求項７】
無線通信ネットワーク（１）における無線デバイス（１０）の通信をハンドリングするための、前記無線デバイス（１０）によって実施される方法であって、前記方法は、
−  無線ネットワークノード（１２）からデータを受信すること（３２１）であって、前記データが、無線デバイスについて、前記無線デバイスのモードおよび能力に基づいて使用すべき無線リソースのプールを指示し、前記モードが、無線リソースを選択する様式によって規定されるリソースモードであり、前記能力が、前記無線デバイスのサイドリンク能力に関係する、データを受信すること（３２１）と、
−  前記受信されたデータに基づいて、前記無線通信ネットワーク（１）における通信のために１つまたは複数の無線リソースを使用すること（３２２）と、
を含む、方法。
【請求項８】
前記リソースモードが、前記無線デバイスにおいてまたは前記無線ネットワークノードにおいて無線リソースを選択することによって規定される、請求項７に記載の方法。
【請求項９】
前記サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力である、請求項７または８に記載の方法。
【請求項１０】
前記サイドリンク能力が、前記無線デバイスのバージョンによって規定される、請求項７から９のいずれか一項に記載の方法。
【請求項１１】
前記プールが無線リソースの少なくとも２つのプールを備え、無線リソースの第１のプールが、第１のモードおよび第１の能力の無線デバイスによって使用されるように設定され、無線リソースの第２のプールが、第２のモードおよび前記第１の能力および／または第２の能力の無線デバイス、あるいは前記第１のモードおよび前記第２の能力の無線デバイスによって使用されるように設定された、請求項７から１０のいずれか一項に記載の方法。
【請求項１２】
少なくとも１つのプロセッサ上で実行されたとき、前記少なくとも１つのプロセッサに、無線デバイスまたは無線ネットワークノードによって実施される、請求項１から１１のいずれか一項に記載の方法のいずれかを行わせる命令を備えるコンピュータプログラム。
【請求項１３】
少なくとも１つのプロセッサ上で実行されたとき、前記少なくとも１つのプロセッサに、無線デバイスまたは無線ネットワークノードによって実施される、請求項１から１１のいずれか一項に記載の方法を行わせる命令を備えるコンピュータプログラムを記憶した、コンピュータ可読記憶媒体。
【請求項１４】
無線通信ネットワーク（１）における無線デバイスの通信をハンドリングするための無線ネットワークノード（１２）であって、前記無線ネットワークノードは、
無線デバイスについて、前記無線デバイスのモードおよび能力に基づいて使用すべき無線リソースのプールを設定することであって、前記モードが、無線リソースを選択する様式によって規定されるリソースモードであり、前記能力が、前記無線デバイスのサイドリンク能力に関係する、無線リソースのプールを設定すること
を行うように設定された、無線ネットワークノード（１２）。
【請求項１５】
前記無線ネットワークノードは、
１つまたは複数の無線デバイスにデータを送信することであって、前記データが、無線リソースの前記設定されたプールを指示する、データを送信すること
を行うように設定された、請求項１４に記載の無線ネットワークノード（１２）。
【請求項１６】
前記リソースモードが、前記無線デバイスにおいてまたは前記無線ネットワークノードにおいて無線リソースを選択することによって規定される、請求項１４または１５に記載の無線ネットワークノード（１２）。
【請求項１７】
前記サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力である、請求項１４から１６のいずれか一項に記載の無線ネットワークノード（１２）。
【請求項１８】
前記サイドリンク能力が、前記無線デバイスのバージョンによって規定される、請求項１４から１７のいずれか一項に記載の無線ネットワークノード（１２）。
【請求項１９】
前記プールが無線リソースの少なくとも２つのプールを備え、無線リソースの第１のプールが、第１のモードおよび第１の能力の無線デバイスによって使用されるように設定され、無線リソースの第２のプールが、第２のモードおよび前記第１の能力および／または第２の能力の無線デバイス、あるいは前記第１のモードおよび前記第２の能力の無線デバイスによって使用されるように設定された、請求項１４から１８のいずれか一項に記載の無線ネットワークノード（１２）。
【請求項２０】
無線通信ネットワーク（１）における前記無線デバイス（１０）の通信をハンドリングするための無線デバイス（１０）であって、前記無線デバイス（１０）は、
無線ネットワークノード（１２）からデータを受信することであって、前記データが、無線デバイスについて、前記無線デバイスのモードおよび能力に基づいて使用すべき無線リソースのプールを指示し、前記モードが、無線リソースを選択する様式によって規定されるリソースモードであり、前記能力が、前記無線デバイスのサイドリンク能力に関係する、データを受信することと、
前記受信されたデータに基づいて、前記無線通信ネットワーク（１）における通信のために１つまたは複数の無線リソースを使用することと
を行うように設定された、無線デバイス（１０）。
【請求項２１】
前記リソースモードが、前記無線デバイスにおいてまたは前記無線ネットワークノードにおいて無線リソースを選択することによって規定される、請求項２０に記載の無線デバイス（１０）。
【請求項２２】
前記サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力である、請求項２０または２１に記載の無線デバイス（１０）。
【請求項２３】
前記サイドリンク能力が、前記無線デバイスのバージョンによって規定される、請求項２０から２２のいずれか一項に記載の無線デバイス（１０）。
【請求項２４】
前記プールが無線リソースの少なくとも２つのプールを備え、無線リソースの第１のプールが、第１のモードおよび第１の能力の無線デバイスによって使用されるように設定され、無線リソースの第２のプールが、第２のモードおよび前記第１の能力および／または第２の能力の無線デバイス、あるいは前記第１のモードおよび前記第２の能力の無線デバイスによって使用されるように設定された、請求項２０から２３のいずれか一項に記載の無線デバイス（１０）。
【請求項２５】
処理回路要素を備える無線ネットワークノードであって、
無線デバイスについて、前記無線デバイスのモードおよび能力に基づいて使用すべき無線リソースのプールを設定することであって、前記モードが、無線リソースを選択する様式によって規定されるリソースモードであり、前記能力が、前記無線デバイスのサイドリンク能力に関係する、無線リソースのプールを設定すること
を行うように設定された、無線ネットワークノード。
【請求項２６】
処理回路要素を備える無線デバイスであって、
無線ネットワークノードからデータを受信することであって、前記データが、無線デバイスについて、前記無線デバイスのモードおよび能力に基づいて使用すべき無線リソースのプールを指示し、前記モードが、無線リソースを選択する様式によって規定されるリソースモードであり、前記能力が、前記無線デバイスのサイドリンク能力に関係する、データを受信することと、
前記受信されたデータに基づいて、前記無線通信ネットワークにおける通信のために１つまたは複数の無線リソースを使用することと
を行うように設定された、無線デバイス。
【発明の詳細な説明】
【技術分野】
【０００１】
本明細書の実施形態は、通信のための、無線デバイス、無線ネットワークノード、ならびに無線デバイスおよび無線ネットワークノードにおいて実施される方法に関する。さらに、コンピュータプログラム製品およびコンピュータ可読記憶媒体も本明細書で提供される。特に、本明細書の実施形態は、無線通信ネットワークにおける無線デバイスの通信をハンドリングすることに関する。
【背景技術】
【０００２】
一般的な無線通信ネットワークでは、無線通信デバイス、移動局、局（ＳＴＡ）および／またはユーザ機器（ＵＥ）としても知られる、無線デバイスが、無線アクセスネットワーク（ＲＡＮ）を介して１つまたは複数のコアネットワーク（ＣＮ）に通信する。ＲＡＮは、サービスエリアまたはセルエリアに分割される地理的エリアをカバーし、各サービスエリアまたはセルエリアは、いくつかのネットワークでは、たとえば、ノードＢ、エボルブドノードＢ（ｅノードＢ）、またはｇノードＢと示されることもある、無線アクセスノード、たとえばＷｉ−Ｆｉアクセスポイントまたは無線基地局（ＲＢＳ）など、無線ネットワークノードによってサーブされる。セルまたはセルエリアとしても知られるサービスエリアは、無線ネットワークノードによって無線カバレッジが提供される地理的エリアである。無線ネットワークノードは、無線ネットワークノードの範囲内で、無線周波数上で動作するエアインターフェースを介して無線デバイスと通信する。
【０００３】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は、第２世代（２Ｇ）モバイル通信用グローバルシステム（ＧＳＭ）から発展した第３世代（３Ｇ）電気通信ネットワークである。ＵＭＴＳ地上無線アクセスネットワーク（ＵＴＲＡＮ）は、本質的に、ユーザ機器のために広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られるフォーラムでは、電気通信サプライヤが、第３世代ネットワークのための規格を提案およびその規格に関して同意し、向上されたデータレートおよび無線容量を研究する。いくつかのＲＡＮでは、たとえばＵＴＲＡＮの場合のように、いくつかの無線ネットワークノードは、たとえば、ランドラインまたはマイクロ波によって、別の無線ネットワークノード、たとえば、無線ネットワークコントローラ（ＲＮＣ）または基地局コントローラ（ＢＳＣ）など、コントローラノードに接続され得、コントローラノードは、コントローラノードに接続された複数の無線ネットワークノードの様々なアクティビティを監視し、協調させる。このタイプの接続は、バックホール接続と呼ばれることがある。ＲＮＣおよびＢＳＣは、一般に、１つまたは複数のコアネットワークに接続される。
【０００４】
第４世代（４Ｇ）ネットワークとも呼ばれる、エボルブドパケットシステム（ＥＰＳ）のための仕様は、第３世代パートナーシッププロジェクト（３ＧＰＰ）内で完成されており、この作業は、たとえば、第５世代（５Ｇ）ネットワークを指定するために、来たるべき３ＧＰＰリリースにおいて続く。ＥＰＳは、Ｌｏｎｇ  Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードがＲＮＣにではなくＥＰＣコアネットワークに直接接続される３ＧＰＰ無線アクセスネットワークの変形態である。概して、Ｅ−ＵＴＲＡＮ／ＬＴＥでは、ＲＮＣの機能は、無線ネットワークノード、たとえばＬＴＥにおけるｅノードＢと、コアネットワークとの間で分散される。したがって、ＥＰＳのＲＡＮは、１つまたは複数のコアネットワークに直接接続された無線ネットワークノードを備える、本質的に「フラット」なアーキテクチャを有し、すなわち、無線ネットワークノードはＲＮＣに接続されない。そのことを補償するために、Ｅ−ＵＴＲＡＮ仕様は、無線ネットワークノード間の直接インターフェースを規定し、このインターフェースはＸ２インターフェースと示される。
【０００５】
３ＧＰＰは、所与の時点における特徴の実装のために安定したプラットフォームを開発者に提供し、次いで、後続のリリースにおける新しい機能性の追加を可能にする、並行「リリース」のシステムを使用する。リリース（Ｒｅｌ）１４では、デバイスツーデバイス作業についての拡張は、車両、歩行者およびインフラストラクチャの間の直接通信の任意の組合せを含む、車両対あらゆるモノ（Ｖ２Ｘ：Ｖｅｈｉｃｌｅ  ｔｏ  Ａｎｙｔｈｉｎｇ）通信のサポートからなる。Ｖ２Ｘ通信は、利用可能なときに、ネットワーク（ＮＷ）インフラストラクチャを利用し得るが、少なくとも基本的なＶ２Ｘコネクティビティが、カバレッジの欠如の場合でも可能であるべきである。ＬＴＥベースＶ２Ｘインターフェースを提供することは、ＬＴＥの規模の経済により、経済的に有利であり得、このことは、専用Ｖ２Ｘ技術、たとえば、ＩＥＥＥ８０２．１１ｐを使用することと比較して、たとえば車両対インフラストラクチャ（Ｖ２Ｉ：Ｖｅｈｉｃｌｅ  ｔｏ  Ｉｎｆｒａｓｔｒｕｃｔｕｒｅ）におけるＮＷインフラストラクチャ、車両対歩行者（Ｖ２Ｐ：Ｖｅｈｉｃｌｅ  ｔｏ  Ｐｅｄｅｓｔｒｉａｎｓ）における歩行者、および車両対車両（Ｖ２Ｖ：Ｖｅｈｉｃｌｅ  ｔｏ  Ｖｅｈｉｃｌｅ）における他の車両との通信の間のより緊密な統合を可能にし得る。
【０００６】
Ｖ２Ｘ通信は非安全（ｎｏｎ−ｓａｆｅｔｙ）情報と安全情報の両方を搬送し得、ここで、アプリケーションおよびサービスの各々は、たとえば、レイテンシ、信頼性、データレートなどに関して、特定の要件セットに関連し得る。
【０００７】
Ｖ２Ｘについて規定されたいくつかの異なる使用事例がある、図１参照。
・  Ｖ２Ｖ：Ｕｕまたはサイドリンク、たとえばインターフェースＰＣ５のいずれかを介した、車両間のＬＴＥベース通信をカバーする。
・  Ｖ２Ｐ：Ｕｕまたはサイドリンク、たとえばインターフェースＰＣ５のいずれかを介した、車両と、個人によって携帯されるデバイス（たとえば歩行者、サイクリスト、運転者または乗客によって携帯されるハンドヘルド端末）との間のＬＴＥベース通信をカバーする。
・  車両対インフラストラクチャ／ネットワーク（Ｖ２Ｉ／Ｎ）：車両と路側ユニット／ネットワークとの間のＬＴＥベース通信をカバーする。路側ユニット（ＲＳＵ）は、サイドリンク（ＰＣ５）を介してＶ２Ｘ対応無線デバイスと通信する、輸送インフラストラクチャエンティティ、たとえば、速度通知を送信するエンティティである。Ｖ２Ｎの場合、通信はＵｕ上で実施される。
【０００８】
Ｖ２Ｘのためのサイドリンクリソース割り当て
デバイスツーデバイス（Ｄ２Ｄ）インターフェースは、サイドリンクと呼ばれる。サイドリンク上でのＶ２Ｘのために２つの異なるリソース割り当て（ＲＡ）プロシージャ、すなわち、集中型ＲＡ、いわゆる「モード３」と、分散型ＲＡ、いわゆる「モード４」とがある。ＴＳ３６．３２１  Ｖ１４．２．１、「Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ（Ｒｅｌｅａｓｅ  １４）」参照。送信リソースは、あらかじめ規定されたかまたはネットワーク（ＮＷ）によって設定されたリソースプール内で選択される。送信リソースまたは無線リソースは、たとえば時間リソースおよび／または周波数リソースである。
【０００９】
集中型ＲＡ、すなわちモード３の場合、送信のためのサイドリンク無線リソースは、ＮＷによってスケジュールされるかまたは割り当てられ、ダウンリンク制御情報（ＤＣＩ）フォーマット５Ａを使用して無線デバイスにシグナリングされる。これは、両方の制御チャネル、すなわち、スケジューリング割り振り（ＳＡ）とも呼ばれるサイドリンク制御情報（ＳＣＩ）を配信するために使用される物理サイドリンク制御チャネル（ＰＳＣＣＨ）と、サイドリンクデータを配信するために使用される物理サイドリンク共有チャネル（ＰＳＳＣＨ）とについての事例である。
【００１０】
分散型ＲＡ、すなわちモード４の場合、各無線デバイスは、ＰＳＣＣＨとＰＳＳＣＨの両方について、他の無線デバイスによって送られたＳＣＩの検知に基づいて、各送信のためにどの無線リソースを使用すべきかを独立して判定する。そのような無線リソースは、ブロードキャストシグナリング、たとえばシステム情報ブロック（ＳＩＢ）シグナリングを使用してＮＷによって与えられるか、または事前設定によって与えられる、リソースの１つまたは複数のプールから無線デバイスによって選択される。ＴＳ３６．３３１  Ｖ１４．１．０、「Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  １４）」参照。
【００１１】
ＳＣＩフォーマット１中のリソース予約フィールドは、リソースブロックが現在の送信のためにまたは将来の送信のために予約されていることを指示し、これは、モード４無線デバイスによるリソース利用可能性の決定に寄与する。モード３送信の場合、ＳＣＩフォーマット１中のリソース予約フィールドは現在、常にゼロにセットされる。ＴＳ３６．２１３、Ｖ１４．２．０、「Ｐｈｙｓｉｃａｌ  ｌａｙｅｒ  ｐｒｏｃｅｄｕｒｅｓ（Ｒｅｌｅａｓｅ  １４）」参照。
【００１２】
ＲＰ−１７０７９８、「Ｎｅｗ  ＷＩＤ  ｏｎ  ３ＧＰＰ  Ｖ２Ｘ  Ｐｈａｓｅ  ２」において開示された、将来のＶ２Ｘ向上は、ＬＴＥプラットフォームを自動車産業に拡大するやり方であり、Ｖ２Ｖサービスのサポートに関する初期規格は、２０１６年９月に完成された。ＬＴＥセルラーインフラストラクチャを活用する追加のＶ２Ｘ動作シナリオに対処するさらなる向上が、ＬＴＥリリース１５などの将来のリリースのために計画された。次いで、新しい無線（ＮＲ）も、５ＧのコンテキストにおいてＶ２Ｘサービスをサポートすることになることが、予想される。
【００１３】
現在、３ＧＰＰ  ＳＡ１ワーキンググループは、Ｖ２Ｘサービスのための３ＧＰＰサポートの向上に関する研究における将来のＶ２Ｘサービスのための新しいサービス要件を完成した（ＦＳ＿ｅＶ２Ｘ）。ＳＡ１は、５Ｇ、すなわちＬＴＥおよびＮＲにおいても使用され得る高度Ｖ２Ｘサービスのための２５個の使用事例を識別した。そのような使用事例は、４つの使用事例グループ、すなわち、車両隊列走行（ｐｌａｔｏｏｎｉｎｇ）、拡張されたセンサー、高度運転、および遠隔運転にカテゴリー分類される。各使用事例グループについての統合された要件は、ＴＲ２２．８８６に取り込まれている。これらの高度適用例の場合、必要とされるデータレート、信頼性、レイテンシ、通信範囲および速度を満たすための予想される要件は、より厳重にされる。
【００１４】
ＬＴＥにおいてこれらの高度Ｖ２Ｘサービスのうちの少なくともいくつかをサポートするために、３ＧＰＰ  Ｖ２Ｘ  Ｐｈａｓｅ２に関する新しい作業項目が開始した。その作業項目は、以下のＰＣ５機能性の解決策を指定することになり、ＰＣ５機能性は、Ｒｅｌ−１４機能性と同じリソースプール中に共存し、同じスケジューリング割り振り（ＳＡ）フォーマットを使用することができ、ＰＣ５機能性は、Ｒｅｌ−１４無線デバイスのサポートする動作と比較して、著しい低下をＲｅｌ−１４  ＰＣ５動作に生じることなしに、Ｒｅｌ−１４無線デバイスによって解読され得る。
・  たとえば８つのＰＣ５キャリアまでの、キャリアアグリゲーション、
・  高次変調、すなわち６４直交振幅変調（ＱＡＭ）、
・  レイヤ１におけるパケット到着と、送信のためにリソースが選択されることと間の最大時間を低減すること、および／または
・  モード３を使用する無線デバイスとモード４を使用する無線デバイスとの間の無線リソースプール共有。
【００１５】
モード３無線デバイスとモード４無線デバイスとの間の無線リソースプール共有は、リソース効率を改善し得る。これは、異なるモードにある無線デバイスの数、および／または異なるモードにある無線デバイスによって生成されるトラフィックが、時間とともに変動し得るからであり、モード３無線デバイスとモード４無線デバイスとが、同じリソースプールを共有する場合、モード３（またはモード４）無線デバイスによって使用されないリソースは、モード４（またはモード３）無線デバイスによって使用され得、したがってリソース効率を改善する。しかしながら、２つのモード間の潜在的共存問題が発生し得る。これは、無線ネットワークノードが、（１つまたは複数の）モード４無線デバイスによってどのＴＸリソースが選択されたかを知らず、したがって、無線ネットワークノードは、（１つまたは複数の）モード４無線デバイスによってすでに選択されたＴＸリソース中で（１つまたは複数の）モード３無線デバイスをスケジュールし得るからであり、この場合、衝突が発生することになり、モード３無線デバイスとモード４無線デバイスの両方の性能が悪化することになる。
【００１６】
いくつかの改善が、共存問題をハンドリングするために、Ｒ１−１７０８９４２、「Ｒａｄｉｏ  ｒｅｓｏｕｒｃｅ  ｐｏｏｌ  ｓｈａｒｉｎｇ  ｂｅｔｗｅｅｎ  ｍｏｄｅ  ３  ａｎｄ  ｍｏｄｅ  ４  ＵＥｓ」、Ｅｒｉｃｓｓｏｎ、およびＲ１−１７０７４５０、「Ｄｉｓｃｕｓｓｉｏｎ  ｏｎ  ｒｅｓｏｕｒｃｅ  ｐｏｏｌ  ｓｈａｒｉｎｇ  ｂｅｔｗｅｅｎ  ｍｏｄｅ  ３  ａｎｄ  ｍｏｄｅ」、ＣＡＴＴにおいてなど、３ＧＰＰにおいて論じられてきた。
・  モード３無線デバイス（Ｒｅｌ．１５）のためのＳＣＩフォーマット１中のリソース予約フィールドをアクティブ化する、すなわち、モード３無線デバイスが半永続的スケジューリング（ＳＰＳ：Ｓｅｍｉ  Ｐｅｒｓｉｓｔｅｎｔ  Ｓｃｈｅｄｕｌｉｎｇ）を用いてスケジュールされた場合、実際のＳＰＳ設定に従ってリソース予約フィールドをセットする。これは、モード４無線デバイスが、リソース利用の、モード３無線デバイスの意図に関して知るのを助ける。
・  より高い優先度をモード３無線デバイス（Ｒｅｌ．１５）に与えること。これは、（Ｒｅｌ．１５）モード４無線デバイスが、利用可能なリソースのリストからモード３無線デバイスによって予約されたリソースを除外するように、（たとえば予約済みビットのうちの１つを使用して）ＳＣＩフォーマット１中で「モード」インジケータを追加することによって実装され得る。
・  モード３無線デバイスが、検知を実施し、モード３無線デバイスのためのスケジューリングを実施するときに無線ネットワークノードによって考慮されるリソース占有ステータスをフィードバックする。
・  無線ネットワークノードが、モード３無線デバイスのためにスケジュールされたリソースをブロードキャストし、次いで、モード４無線デバイスは、モード４無線デバイスの送信のためにこれらのリソースを使用することを回避し得る。
【００１７】
Ｒｅｌ．１４  Ｖ２Ｘは、共有リソースプールが設定された場合、モード３無線デバイスとモード４無線デバイスとの間の共存問題をハンドリングすることができる、最適化された機構を含まない。上記に列挙された改善は、少なくとも１つのタイプの無線デバイス、すなわち、モード３無線デバイスまたはモード４無線デバイスが、Ｒｅｌ．１５（以降）無線デバイスである場合にのみ、適用され得る。一方、Ｒｅｌ．１４無線デバイスとＲｅｌ．１５（以降）無線デバイスとは、長時間共存することになり、単に共有リソースプールを設定することが、Ｒｅｌ．１４無線デバイスの性能に著しい低下、たとえば、無線デバイスの解放を生じ得、無線通信ネットワークの限定されたまたは低減された性能をもたらす。
【発明の概要】
【００１８】
本明細書の実施形態の目的は、無線通信ネットワークの性能を改善するための機構を提供することである。
【００１９】
一態様によれば、目的は、無線通信ネットワークにおける無線デバイスの通信をハンドリングするかまたは可能にするための、無線ネットワークノードによって実施される方法を提供することによって達成される。無線ネットワークノードは、無線デバイスについて、無線デバイスのモードおよび能力に基づいて使用すべき無線リソースのプールを設定する。モードは、無線リソースを選択する様式によって規定されるリソースモードであり、たとえば、無線デバイスにおいて無線リソースを選択し、すなわちモード４であり、または無線ネットワークノードにおいて無線リソースを選択し、すなわちモード３である。能力は、ＳＰＳ設定に従ってＳＣＩ中のリソース予約フィールドをセットする能力、ＳＣＩフォーマット中のモードインジケータをセットする能力、リソースが占有されているかどうかを検知し、フィードバックを与える能力、および／または、予約済みリソースの指示を受信し、これらを使用することを回避する能力など、無線デバイスのサイドリンク能力に関係する。能力は、無線デバイスのバージョン、たとえばＲｅｌ−１４無線デバイスまたはＲｅｌ−１５無線デバイスによって規定され得る。プールは、無線リソースの少なくとも２つのプール、すなわち、第１のモード、たとえばモード３および第１の能力、たとえばＲｅｌ−１４の無線デバイスによって使用されるように設定された、無線リソースの第１のプールと、第２のモード、たとえばモード４および第１の能力および／または第２の能力、たとえばＲｅｌ−１５の無線デバイス、あるいは同じ第１のモードおよび第２の能力の無線デバイスによって使用されるように設定された、無線リソースの第２のプールとを備え得る。無線ネットワークノードは、さらに、１つまたは複数の無線デバイスにＳＩＢなどのデータまたは情報を送信し得、そのデータまたは情報は、無線リソースの設定されたプールを指示する。
【００２０】
別の態様によれば、目的は、無線通信ネットワークにおける無線デバイスの通信をハンドリングするまたは可能にするための、無線デバイスによって実施される方法を提供することによって達成される。無線デバイスは、無線ネットワークノードから、ＳＩＢなど、データまたは情報を受信する。データまたは情報は、無線デバイスについて、無線デバイスのモードおよび能力に基づいて使用すべき無線リソースのプールを指示する。モードは、無線リソースを選択する様式によって規定されるリソースモードであり、たとえば、無線デバイスにおいて無線リソースを選択し、すなわちモード４であり、または無線ネットワークノードにおいて無線リソースを選択し、すなわちモード３である。能力は、ＳＰＳ設定に従ってＳＣＩ中のリソース予約フィールドをセットする能力、ＳＣＩフォーマット中のモードインジケータをセットする能力、リソースが占有されているかどうかを検知し、フィードバックを与える能力、および／または、予約済みリソースの指示を受信し、これらを使用することを回避する能力など、無線デバイスのサイドリンク能力に関係する。能力は、無線デバイスのバージョン、たとえばＲｅｌ−１４無線デバイスまたはＲｅｌ−１５無線デバイスによって規定され得る。プールは、無線リソースの少なくとも２つのプールを備え得る。無線デバイスは、次いで、受信された情報またはデータ中で指示されたように無線デバイスのモードおよび／または能力に基づいて無線リソースを使用することをスケジュールするか、または無線リソースを使用するためのスケジューリングを受信し得る。
【００２１】
少なくとも１つのプロセッサ上で実行されたとき、少なくとも１つのプロセッサに、無線ネットワークノードまたは無線デバイスによって実施される、上記の方法のいずれかを行わせる命令を備えるコンピュータプログラム製品が、本明細書でさらに提供される。少なくとも１つのプロセッサ上で実行されたとき、少なくとも１つのプロセッサに、無線ネットワークノードまたは無線デバイスによって実施される、上記の方法のいずれかに記載の方法を行わせる命令を備えるコンピュータプログラム製品を記憶した、コンピュータ可読記憶媒体が、本明細書でさらに提供される。
【００２２】
さらに、無線通信ネットワークにおける無線デバイスの通信をハンドリングするための無線デバイスが、本明細書で提供される。無線デバイスは、無線ネットワークノードからデータを受信することであって、データが、無線デバイスについて、無線デバイスのモードおよび能力に基づいて使用すべき無線リソースのプールを指示し、モードが、無線リソースを選択する様式によって規定されるリソースモードであり、能力が、無線デバイスのサイドリンク能力に関係する、データを受信することを行うように設定される。無線デバイスは、受信されたデータに基づいて、無線通信ネットワークにおける通信のために１つまたは複数の無線リソースを使用する。
【００２３】
さらに、無線通信ネットワークにおける無線デバイスの通信をハンドリングするための無線ネットワークノードが、本明細書で提供される。無線ネットワークノードは、無線デバイスについて、無線デバイスのモードおよび能力に基づいて使用すべき無線リソースのプールを設定することであって、モードが、無線リソースを選択する様式によって規定されるリソースモードであり、能力が、無線デバイスのサイドリンク能力に関係する、無線リソースのプールを設定することを行うように設定される。
【００２４】
本明細書の実施形態は、本明細書の方法を実施するように構成されたそれぞれの処理回路要素を備える無線ネットワークノードおよび無線デバイスをも開示する。
【００２５】
本明細書の実施形態は、異なる能力の無線デバイスの性能への悪影響がほとんどなしに、リソースプールとしても示される無線リソースのプールを使用して異なるモードの無線デバイス間のリソース共有を可能にする。第１の能力無線デバイス、たとえばＲｅｌ．１５無線デバイスの性能は、第１のモード無線デバイス、たとえばモード３無線デバイスと、第２のモード無線デバイス、たとえばモード４無線デバイスの両方について改善され得、たとえばＲｅｌ．１４無線デバイスの性能も、Ｒｅｌ．１４無線デバイスとＲｅｌ．１５無線デバイスとの間のリソース使用率を平衡させることによって改善され得る。したがって、本明細書の実施形態は、無線通信ネットワークの性能の改善につながる。
【００２６】
次に、同封の図面に関して実施形態がより詳細に説明される。
【図面の簡単な説明】
【００２７】
【図１】従来技術による、通信ネットワークを表す概観である。
【図２】本明細書の実施形態による、無線通信ネットワークを表す概観である。
【図３ａ】本明細書の実施形態による、組み合わせられたフローチャートおよびシグナリング方式の図である。
【図３ｂ】本明細書の実施形態による、無線ネットワークノードによって実施される方法を表すフローチャートである。
【図３ｃ】本明細書の実施形態による、無線デバイスによって実施される方法を表すフローチャートである。
【図４】本明細書の実施形態による、リソースプールを表す概観である。
【図５】本明細書の実施形態による、リソースプールを表す概観である。
【図６】本明細書の実施形態による、無線ネットワークノードを表すブロック図である。
【図７】本明細書の実施形態による、無線デバイスを表すブロック図である。
【図８Ａ】中間ネットワークを介してホストコンピュータに接続された電気通信ネットワークを概略的に示す図である。
【図８Ｂ】部分的無線接続上でホストコンピュータが基地局を介してユーザ機器と通信することの一般化されたブロック図である。
【図９】ホストコンピュータと基地局とユーザ機器とを含む通信システムにおいて実装される方法を示すフローチャートである。
【図１０】ホストコンピュータと基地局とユーザ機器とを含む通信システムにおいて実装される方法を示すフローチャートである。
【図１１】ホストコンピュータと基地局とユーザ機器とを含む通信システムにおいて実装される方法を示すフローチャートである。
【図１２】ホストコンピュータと基地局とユーザ機器とを含む通信システムにおいて実装される方法を示すフローチャートである。
【発明を実施するための形態】
【００２８】
本明細書の実施形態は、一般に、無線通信ネットワークに関する。図２は、無線通信ネットワーク１を表す概観である。無線通信ネットワーク１は、１つまたは複数のＣＮに接続された、１つまたは複数のＲＡＮ、たとえば第１のＲＡＮ（ＲＡＮ１）を備える。無線通信ネットワーク１は、ほんの数個の可能な実装形態を挙げると、Ｗｉ−Ｆｉ、Ｌｏｎｇ  Ｔｅｒｍ  Ｅｖｏｌｕｔｉｏｎ（ＬＴＥ）、ＬＴＥアドバンスト、新しい無線（ＮＲ）、広帯域符号分割多元接続（ＷＣＤＭＡ）、モバイル通信用グローバルシステム／ＧＳＭ進化型高速データレート（ＧＳＭ／ＥＤＧＥ）、ワールドワイドインターオペラビリティフォーマイクロウェーブアクセス（ＷｉＭａｘ）、またはウルトラモバイルブロードバンド（ＵＭＢ）など、１つまたはいくつかの異なる技術を使用し得る。実施形態は、５Ｇに適用可能であり、たとえば３ＧおよびＬＴＥなど、既存の通信システムのさらなる発展においても適用可能である。
【００２９】
無線通信ネットワーク１では、移動局、非アクセスポイント（非ＡＰ）ＳＴＡ、ＳＴＡ、ユーザ機器および／または無線端末など、無線デバイス、たとえば第１の無線デバイス１０または第２の無線デバイス１０’が、１つまたは複数のＲＡＮを介して１つまたは複数のＣＮに接続されるか、または互いと通信する。「無線デバイス」が、任意の端末、無線通信端末、通信機器、マシン型通信（ＭＴＣ）デバイス、デバイスツーデバイス（Ｄ２Ｄ）端末、またはユーザ機器、たとえば、スマートフォン、ラップトップ、モバイルフォン、センサー、リレー、モバイルタブレット、あるいはセルまたはサービスエリア内で通信する任意のデバイスを意味する、非限定的な用語であることが当業者によって理解されるべきである。第１の無線デバイス１０は、本明細書では無線デバイス１０とも示される。
【００３０】
無線通信ネットワーク１は、無線ネットワークノード１２を備える。無線ネットワークノード１２は、本明細書では、ＬＴＥ、ＵＭＴＳ、Ｗｉ−Ｆｉまたは同様のものなど、無線アクセス技術（ＲＡＴ）の地理的エリア、サービスエリア１１にわたる無線カバレッジを提供するＲＡＮノードとして例示される。無線ネットワークノード１２は、無線ネットワークコントローラなどの無線アクセスネットワークノード、あるいは無線ローカルエリアネットワーク（ＷＬＡＮ）アクセスポイントまたはアクセスポイント局（ＡＰ  ＳＴＡ）などのアクセスポイント、アクセスコントローラ、基地局、たとえば、ノードＢ、エボルブドノードＢ（ｅＮＢまたはｅノードＢ）、ｇノードＢなどの無線基地局、基地トランシーバ局、アクセスポイント基地局、基地局ルータ、無線基地局の送信構成、スタンドアロンアクセスポイント、あるいは、たとえば使用される無線アクセス技術および専門用語に応じて無線ネットワークノード１２によってサーブされるサービスエリア内で無線デバイスをサーブすることが可能な任意の他のネットワークユニットであり得、スケジューリングノードとして示され得る。
【００３１】
サービスエリアが、無線カバレッジのエリアを規定するために、セル、ビーム、ビームグループまたは同様のものとして示され得ることに留意されたい。
【００３２】
第１の無線デバイス１０は、Ｒｅｌ−１４無線デバイスなど、第１の能力の集中型ＲＡのモードなどの第１のモードの無線デバイス（モード３無線デバイス）であり得る。第２の無線デバイス１０’は、Ｒｅｌ−１５無線デバイスなど、第２の能力の分散型ＲＡのモードなどの第２のモードの無線デバイス（モード４無線デバイス）であり得る。第１の能力は、無線デバイスの規格化に関係するバージョンまたはリリースによって規定され得、第２の能力は、無線デバイスの規格化に関係する後のバージョンまたはリリースによって規定され得る。無線デバイスは、デバイスツーデバイス（Ｄ２Ｄ）接続としても知られるサイドリンクを介して通信するように設定される。
【００３３】
本明細書の実施形態によれば、無線ネットワークノード１２は、無線デバイスについて、無線デバイスのモードおよび能力に基づいて使用すべき無線リソースのプールを設定する。モードは、無線リソースを選択する様式によって規定されるリソースモードであり、たとえば、無線デバイスにおいて無線リソースを選択し、すなわちモード４であり、または無線ネットワークノードにおいて無線リソースを選択し、すなわちモード３である。能力は、ＳＰＳ設定に従ってＳＣＩ中のリソース予約フィールドをセットする能力、ＳＣＩフォーマット中のモードインジケータをセットする能力、リソースが占有されているかどうかを検知し、フィードバックを与える能力、および／または、予約済みリソースの指示を受信し、これらを使用することを回避する能力など、無線デバイスのサイドリンク能力に関係する。能力は、無線デバイスのバージョン、たとえばＲｅｌ−１４無線デバイスまたはＲｅｌ−１５無線デバイスによって規定され得る。無線デバイスの各バージョン（またはリリース）が、無線デバイスのいくつかの能力を規定する。プールは、無線リソースの少なくとも２つのプール、すなわち、第１のモード、たとえばモード３および第１の能力、たとえばＲｅｌ−１４の無線デバイスによって使用されるように設定された、無線リソースの第１のプールと、第２のモード、たとえばモード４、あるいは第１のモードおよび第１の能力および／または第２の能力、たとえばＲｅｌ−１５の無線デバイスによって使用されるように設定された、無線リソースの第２のプールとであり得る。
【００３４】
Ｒｅｌ．１４無線デバイスおよびＲｅｌ．１５（以降）無線デバイスなど、異なる能力の無線デバイスが、長時間共存することになるので、たとえばＲｅｌ．１４無線デバイスの性能に著しい低下を生じることなしに、これらの無線デバイス間のリソースプール共有を設定するための解決策が、本明細書で提供される。異なるモードの無線デバイス間のリソース共有を実施するための方法が、本明細書で提供される。本明細書の方法は、以下を開示する。
・  たとえばモード４無線デバイスについての、無線リソースの２つ以上のプールの設定、ここで、プールは、互いに完全に重複しないように設定され得、Ｒｅｌ．１４モード４無線デバイスは、これらのプールのうちのいくつか、すなわち全てではないものが設定され得るにすぎず、Ｒｅｌ．１５（以降）モード４無線デバイスは、これらのプールのいずれかまたはすべてが設定され得る。
・  Ｒｅｌ．１４モード３無線デバイスは、Ｒｅｌ．１４モード４無線デバイスのために設定されたプール中のリソース中でスケジュールされることを許可されない。Ｒｅｌ．１５モード３無線デバイスなどのいくつかの無線デバイスは、無線ネットワークノードが、モード３無線デバイスがＲｅｌ．１４無線デバイスであるのかＲｅｌ．１５無線デバイスであるのかを知り、次いで、適宜にスケジューリングを実施し得るように、能力インジケータをフィードバックし得る。
・  リソース共有は、ある無線デバイス、たとえばＳＰＳを採用するＲｅｌ．１５モード３無線デバイスにのみ適用され得る。
・  モード３無線デバイスと共有されるとき、たとえばＲｅｌ．１５モード４無線デバイスについて、リソース再選択が適応または改訂され得る。Ｒｅｌ．１４モード４無線デバイスと比較して、異なる、たとえばより短いリソース予約期間が使用され得る。リソース再選択は、無線リソースの衝突が検出されるとトリガされ得る。衝突を検出するために、ランダムに選択された送信機会が使用され得る。または、たとえばＲｅｌ．１４モード３無線デバイスとＲｅｌ．１５モード４無線デバイスとの間のリソース共有を許可しない。
・  リソース使用率が、Ｒｅｌ．１４無線デバイスとＲｅｌ．１５無線デバイスとの間で平衡させられ得る。システムにおいてアクティブな、Ｒｅｌ．１５無線デバイスなど、第２の能力無線デバイスの比率を無線ネットワークノードまたは無線デバイスが知り得るように、Ｕｕまたはサイドリンクなどのいずれかの無線インターフェース上でサイドリンク能力を指示する。
【００３５】
図３ａは、無線通信ネットワーク１における無線デバイスからの通信をハンドリングするための、本明細書の実施形態による、組み合わせられたシグナリング方式およびフローチャートである。
【００３６】
アクション３０１．無線ネットワークノード１２は、無線デバイスについて、無線デバイスのモードおよび能力に基づいて使用すべき無線リソースのプールを設定する。プールは、無線リソースの少なくとも２つのプール、すなわち、第１のモード、たとえばモード３および第１の能力、たとえばＲｅｌ−１４の無線デバイスによって使用されるように設定された、無線リソースの第１のプールと、第２のモード、たとえばモード４および第１の能力および／または第２の能力、たとえばＲｅｌ−１５の無線デバイスによって使用されるように設定された、無線リソースの第２のプールとであり得る。無線ネットワークノード１２は、１つのモードの２つ以上のプールを設定し得ることに留意されたい。
【００３７】
アクション３０２．無線ネットワークノード１２は、次いで、たとえば、無線デバイスについて、無線デバイスのモードおよび能力に基づいて使用すべき、プール、またはリソースがグループ化されたという設定を指示する、ＳＩＢを送信する。
【００３８】
アクション３０３．無線デバイス１０は、次いで、受信された情報またはデータ中で指示されたように無線デバイスのモードおよび／または能力に基づいて１つまたは複数の無線リソースを使用する。
【００３９】
次に、実施形態による、無線通信ネットワーク１における無線デバイスの通信をハンドリングするための無線ネットワークノードによって実施される方法アクションが、図３ｂに表されているフローチャートを参照しながら説明される。アクションは、以下で述べられる順序でとられる必要がなく、任意の好適な順序でとられ得る。いくつかの実施形態において実施されるアクションは、点線ボックスでマークされる。
【００４０】
アクション３１１．無線ネットワークノード１２は、無線デバイスについて、無線デバイスのモードおよび能力に基づいて使用すべき無線リソースのプールを設定する。モードは、無線リソースを選択する様式によって規定されるリソースモードであり、能力は、無線デバイスのサイドリンク能力に関係する。リソースモードは、無線デバイスにおいてまたは無線ネットワークノードにおいて無線リソースを選択することによって規定され得る。サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力であり得る。サイドリンク能力は、無線デバイスのバージョンによって規定され得る。プールは無線リソースの少なくとも２つのプールを備え得、無線リソースの第１のプールは、第１のモードおよび第１の能力の無線デバイスによって使用されるように設定され、無線リソースの第２のプールは、第２のモードおよび第１の能力および／または第２の能力の無線デバイス、あるいは第１のモードおよび第２の能力の無線デバイスによって使用されるように設定される。さらに、無線ネットワークノード１２は、無線リソースがどのくらいの頻度で再選択されるべきである（再選択され得る）かを指示するリソース再選択カウンタの初期値についての可能な値の異なるセットを設定し得る。
【００４１】
アクション３１２．無線ネットワークノード１２は、１つまたは複数の無線デバイス、たとえば第１の無線デバイス１０および／または第２の無線デバイス１０’にデータを送信し得、データは、無線リソースの設定されたプールを指示する。
【００４２】
次に、実施形態による、無線通信ネットワーク１における無線デバイス１０の通信をハンドリングするための無線デバイス１０によって実施される方法アクションが、図３ｃに表されているフローチャートを参照しながら説明される。アクションは、以下で述べられる順序でとられる必要がなく、任意の好適な順序でとられ得る。
【００４３】
アクション３２１．無線デバイス１０は、無線ネットワークノード１２からデータを受信し、データは、無線デバイスについて、無線デバイスのモードおよび能力に基づいて使用すべき無線リソースのプールを指示する。モードは、無線リソースを選択する様式によって規定されるリソースモードであり、能力は、無線デバイスのサイドリンク能力に関係する。リソースモードは、無線デバイスにおいてまたは無線ネットワークノードにおいて無線リソースを選択することによって規定され得る。サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力であり得る。サイドリンク能力は、無線デバイスのバージョンによって規定され得る。プールは無線リソースの少なくとも２つのプールを備え得、無線リソースの第１のプールは、第１のモードおよび第１の能力の無線デバイスによって使用されるように設定され、無線リソースの第２のプールは、第２のモードおよび第１の能力および／または第２の能力の無線デバイス、あるいは第１のモードおよび第２の能力の無線デバイスによって使用されるように設定される。
【００４４】
アクション３２２．無線デバイス１０は、受信されたデータに基づいて、無線通信ネットワーク１における通信のために１つまたは複数の無線リソースを使用する。たとえば、受信されたデータに基づいて、すでにスケジュールされたリソースまたはスケジュールされ得る無線リソースを回避しながら、無線リソースを選択する。無線デバイス１０は、無線デバイスのモードおよび／または能力に基づいてプールの１つまたは複数の無線リソースを使用し得る。
【００４５】
たとえばＲｅｌ．１４における、たとえばレガシーＶ２Ｘ通信は、共存問題をハンドリングするための最適化された機構を含まず、Ｒｅｌ．１４無線デバイスのために改善が導入され得ないので、モード３無線デバイスとモード４無線デバイスの両方がＲｅｌ．１４無線デバイスである場合、著しい性能劣化を回避するために、リソースプール共有は設定されるべきでない。これを実装するための１つのやり方は、ＳＩＢ中で指示され得る、第２のモードの２つ以上のプール、たとえば２つのモード４リソースプールを設定することである。さらに、２つのモード４リソースプールは、完全に重複されないことがあり、Ｒｅｌ．１４モード４無線デバイスは、これらの２つのモード４リソースプールのうちの１つが設定され得るにすぎず、Ｒｅｌ．１５（以降）モード４無線デバイスは、これらの２つのモード４リソースプールのいずれかまたは両方が設定され得、たとえば、同じＲｅｌ．１５（以降）モード４無線デバイスが、両方のモード４リソースプールがそのＲｅｌ．１５（以降）モード４無線デバイスのために設定された場合、２つのモード４リソースプールの両方からのリソースを使用し得る。
【００４６】
たとえばＲｅｌ．１４モード３無線デバイスとＲｅｌ．１４モード４無線デバイスとの間のリソースプール共有を回避するために、Ｒｅｌ．１４モード３無線デバイスは、Ｒｅｌ．１４モード４無線デバイスが設定されたプール中に含まれるリソース中でスケジュールされることを許可されないことがあり、Ｒｅｌ．１５モード３無線デバイスは、どこででもスケジュールされ得、リソースは、Ｒｅｌ．１５モード３無線デバイスのためにスケジュールされたリソースが、モード４リソースプールのいずれか（または両方）中のリソースと（部分的に）重複する場合、モード４無線デバイスと共有される。シグナリング観点から、無線ネットワークノード１２は、あるプールが、モード３など、あるモードの無線デバイスのために使用するためのものでないことを明示的に指示し得る。または代替的に、無線ネットワークノード１２は、プールが第２のモードの無線デバイスによって使用されることをシグナリングし得、その結果、たとえば、第２のモードの無線デバイスによって使用される無線リソースの衝突を検出する能力を有しないか、または、それらの無線リソースのサイドリンクスケジューリング割り当てを指示するためにＳＣＩ中のリソース予約フィールドを使用することができない、無線デバイスは、そのようなプールの無線リソースを使用することを許可されない。この実施形態のまた別の代替形態では、無線ネットワークノード１２は、プールをシグナリングし、このプールが、ＳＰＳを使用し、たとえばリソース予約フィールド上で送信するというその意図を告知することが可能な、第１のモードの無線デバイスと、第２のモードの無線デバイスとの間で共有されることを、明示的に指示し得る。ＳＰＳ、たとえば、モード３動的スケジューリングなしに第１のモードを使用するべきであり、ＳＣＩ上でその送信意図を指示することが可能でない無線デバイス、たとえば、第１のモードをサポートするが、ＳＣＩ中のリソース予約指示をサポートしない、より古いリリース無線デバイスのために、別個のプールが割り当てられ得る。そのような別個のプールは、明示的に、またはビットマップを伴ってのいずれかで指示され得、ビットマップは、たとえば、対応するビットが１にセットされたとき、第１のモードと第２のモードとの共有使用のために指示されたリソースのうちのどれが、ＳＰＳが設定されないおよび／またはＳＣＩ中で送信意図を指示することが可能でない無線デバイスに予約されるかを指示する。代替的に、たとえばＳＩＢ中のビットマップは、たとえば、対応するビットが１にセットされたとき、異なるモードの無線デバイスの共用のための予約されたリソースを指示し、たとえば、対応するビットが０にセットされたとき、ビットマップによって指示された他のリソースは、ＳＰＳが設定されないおよび／またはＳＣＩ中で送信意図を指示することが可能でない無線デバイスのために予約される。
【００４７】
ネットワーク設定が、２つまたはそれ以上の異なるプールが第２のモードおよび第１のモード使用のために割り当てられ、これらの２つまたはそれ以上のプールが部分的に重複するようなものである場合、その送信意図を告知することが可能である第１のモードの無線デバイス１０は、無線デバイス１０が、無線デバイスがリソース予約指示をもつＳＣＩをその中で読み取ることが可能であるリソースのプールと重複するリソース中でスケジュールされた場合のみ、ＳＣＩ中で告知することになる。同様に、新しい予約フィールド指示をもつＳＣＩを読み取ることが可能である、第２のモードの無線デバイスは、第２のモードの無線デバイスが、たとえばＳＣＩをシグナリングすることが可能な、第１のモードの無線デバイスがそこで送信し得るリソースのプールと重複するリソース上で送信をスケジュールした場合、このフィールドを監視するにすぎないことになる。
【００４８】
上記の方法を可能にする一例として、第１のモードの、ただし第２の能力をもつ無線デバイス、たとえば第２の無線デバイス１０’が、専用シグナリングを使用して無線ネットワークノード１２に能力インジケータをフィードバックし得る。能力インジケータは、無線ネットワークノード１２に、たとえば、無線デバイスがどの能力、たとえばバージョンとしても示されるリリースに属するかを知らせ得る。この情報を用いて、無線ネットワークノード１２は、次いで、第１のモードのスケジューリングを適宜に実施し、たとえば、Ｒｅｌ．１４モード４無線デバイスが設定されるプール中でＲｅｌ．１４モード３無線デバイスをスケジュールすることを回避し得る。別のオプションでは、能力信号中に特定の「Ｒｅｌ．１５インジケータ」がないが、能力信号は、異なる能力、たとえば、キャリアアグリゲーション能力または同様のものを含んでおり、それらの能力は、Ｒｅｌ−１５無線デバイスなどの無線デバイスのバージョンの固有のものである。
【００４９】
共存問題をハンドリングするための説明された改善のうちの１つは、第２の能力および第１のモードの無線デバイスのためのＳＣＩフォーマット１中のリソース予約フィールドをアクティブ化することである。この改善は、リソース共有が、たとえばＲｅｌ．１５モード３無線デバイスとモード４無線デバイスとの間のものであり、すなわちＲｅｌ．１４モード３無線デバイスとの間のものでないとき、うまく動作し得る。一方、この向上は、動的スケジューリングが第１のモードの無線デバイスのために採用された場合、役に立たず、したがって、無線ネットワークノード１２は、ＳＰＳを採用する第１のモードおよび第２の能力の無線デバイスのみを、第２のモードの無線デバイスと共有されたリソース中でスケジュールされるように設定し得る。動的スケジューリングの事例、すなわち、無線ネットワークノード１２が、１つの単一の送信オケージョンのみに有効である送信グラントを与える事例をハンドリングするために、無線ネットワークノード１２は、異なるモードの無線デバイスによって共有されるプール中で、ＳＰＳを使用する第２のモードの無線デバイスおよび／または第１のモードの無線デバイスがその中で送信することを許可されない、予約済みリソースのセットを指示し得る。そのような予約済みリソースは、動的スケジューリングを用いていくつかの無線デバイスをスケジュールするために、無線ネットワークノード１２によって使用され得る。言い換えれば、第２のモードの無線デバイスは、そのような予約済みリソースを、送信に有効なリソースとして考慮しないことがある。場合によっては、ＳＰＳを使用する第１のモードの無線デバイスも、そのような予約済みリソース上の送信に有効なＳＰＳグラントがある場合でも、それらの予約済みリソース上で送信することをスキップし得る。予約済みリソースのそのようなセットは、ビットマップを使用して無線ネットワークノード１２によってシグナリングされ得、ここで、各ビットは、対応する送信時間間隔（ＴＴＩ）が予約済みであるか、またはサブフレーム番号（ＳＦＮ）＝０から開始していないかどうかを指示する。ビットマップは、たとえば、ＳＦＮ空間全体をカバーするために循環する、４０ビットビットマップであり得る。予約済みリソースのシグナリングは、予約済みである物理リソースブロック（ＰＲＢ）のセットを含んでいることもある。
【００５０】
さらなるリソースプール設定およびプール共有シナリオが、図４および図５に示されている。
【００５１】
１つのさらなる改善は、Ｒｅｌ．１５無線デバイス１０が、たとえば予約済みビットを使用して無線リソース制御（ＲＲＣ）シグナリングおよび／またはＳＣＩ中でサイドリンク能力、たとえばリリース情報を指示し得ることであり、これによって、無線ネットワークノード１２および／または他の無線デバイスは第２の能力の無線デバイスの比率を知る。モード３無線デバイスなどの第１のモードの無線デバイスのスケジューリングでは、無線ネットワークノード１２は、第２の能力の無線デバイスがどのプール中でスケジュールされ得るかを決定し得、たとえば、Ｒｅｌ．１５モード３無線デバイスは、プール１中でスケジュールされた多くのＲｅｌ．１４モード３無線デバイスがある場合、プール２中でスケジュールされるべきである。Ｒｅｌ．１５モード４無線デバイスは、Ｒｅｌ．１５モード４無線デバイスがリソース割り当て中にどのプールを優先させるべきであるかを決定し得、たとえば、プール２中に存在する多くのＲｅｌ．１４モード４無線デバイスがある場合、プール１が優先されるべきである。
【００５２】
代替または追加として、プールが第１のモードの無線デバイスと共有される場合、第２のモードの無線デバイスがリソース再選択をより頻繁に実施する事例が考慮される。リソース再選択をより頻繁に実施することによって、第１のモードの無線デバイスとの起こり得る衝突が、最小限に抑えられる。レガシー動作では、リソース再選択は、リソース再選択カウンタが０に達したとき、実施される。リソース再選択の初期値は、リソース予約間隔、すなわち、無線デバイスによって選択されたリソースの周期性に依存する、可能な値のセットから選択される。
【００５３】
本明細書の実施形態では、リソース再選択カウンタの初期値は、リソース予約間隔の周期性にだけでなく、共有リソースプールをポピュレートしている第１のモードの無線デバイスの量にも依存し得る。たとえば、無線ネットワークノード１２は、リソース再選択カウンタの初期値についての可能な値の異なるセットを設定し得る。あるセットが、送信されるべきトラフィックの周期性に依存し、別のセットが、無線通信ネットワークにおける第１のモードの無線デバイスの量に依存し、すなわち、値の異なるセットが、プール中の第１のモードの無線デバイスの異なる量について設定される。たとえば、モード３無線デバイスの数が高いほど、リソース再選択カウンタのための可能な値は小さくなるべきである。第１のモードの無線デバイスの数は、無線ネットワークノード１２によってシグナリングされ得るか、または、ＳＣＩ中のリソース予約フィールドを見ることによって第２のモードの無線デバイスによって評価され得、そのＳＣＩは、あるプール中で動作する第１のモードの無線デバイスによって送られる。この後者のオプションでは、第２のモードの無線デバイスは、ある設定可能な時間間隔、たとえば１秒にわたってその存在をシグナリングする第１のモードの無線デバイスの量をカウントする。代替的に、第２のモードの無線デバイスは、第１のモードのいくつの無線デバイスが、ある関心リソース、すなわち、第２のモードのこの無線デバイスがその中で送信することに関心があり得るリソース中で送信しようとしているかを評価し得る。また別の代替形態では、プールについて、両方のモードの無線デバイスを考慮し得る輻輳メトリックが、リソース再選択カウンタのためにどのセットを使用すべきかを決定するために使用され、たとえば、リソース再選択値の異なるセットが、異なる輻輳レベルのために使用され得る。たとえば、より高い輻輳レベルが、より短いリソース再選択値に対応する。
【００５４】
リソース再選択値はまた、異なるプールについて異なり得る。たとえば、無線ネットワークノード１２は、少数の利用可能なリソースをもつ小さいプールのために、小さいリソース再選択値のセットを設定し得、そのプールは、輻輳しているより高い確率を有する。
【００５５】
トラフィック周期性に依存するリソース再選択値のセットと、第１のモードの無線デバイスの量に依存するリソース再選択値のセットとが重複する場合、無線デバイス１０は、これらのセットの重複する部分からの値をセットし得、他の場合、無線デバイス１０は、たとえば、２つのセットにおけるネットワーク優先度付け、最小（または最高）値に応じて、一方のセットまたは他方を優先し得る。
【００５６】
別の変形態では、無線デバイスによって選択されたリソース再選択カウンタにかかわらず、第２のモードの無線デバイスは、第１のモードの無線デバイスとの起こり得る衝突が検出されるとすぐに、再選択を実施する。たとえば、モード４無線デバイスはＳＣＩを監視し、モード４無線デバイスが、このモード４無線デバイスによって前に予約されたリソース上でのモード３無線デバイスの送信をモード３無線デバイスが告知したことを了解した場合、このモード４無線デバイスは、現在のリソース再選択カウンタを停止し、このモード４無線デバイスは、モード３無線デバイスによって予約されたリソースを含まないリソースの別のセットを再選択する。
【００５７】
第２のモードの無線デバイスは、たとえば、数個のランダムに選択された送信機会において第２のモードの無線デバイスの送信をミュートにし、代わりに検知を実施し得、その検知によって、存在する場合、衝突が検出され得る。必要な場合、たとえば低レイテンシを必要とするｅＶ２Ｘサービスでは、ミュートされた送信機会において当初送信されるべきであるパケットを送信するために、ワンショットグラントがスケジュールされ得る。
【００５８】
これを実現するために、無線ネットワークノード１２は、たとえば、無線デバイスが送信のためにすでに選択した時間および／または周波数リソースのセット上で、すでにスケジュールされた１つ、または複数の通信をランダムにスキップするように無線デバイスを設定する。無線デバイス１０は、単一の送信オケージョンがスキップされるべきであるか否かを等しい確率でランダムに選択し得る。各単一の送信オケージョンは、スキップされる確率を関連付けていることがあり、その確率は、たとえば、ネットワーク設定に従って、プールの輻輳ステータスに、またはプール中の第１のモードの無線デバイスの量に依存し得る。ランダムに選択された値が、そのような確率を上回るか、または下回る場合、無線デバイスは、その送信オケージョンをスキップし、衝突が生じているかどうかを検出するための検知を実施する。ある送信オケージョンをスキップする確率は、優先度、たとえばＰｒｏＳｅパケット毎優先度（ＰＰＰＰ：ＰｒｏＳｅ  Ｐｅｒ  Ｐａｃｋｅｔ  Ｐｒｉｏｒｉｔｙ）／論理チャネルＩＤ（ＬＣＩＤ）、および／または、無線デバイスがそのリソース上で送信しようとするパケットのレイテンシ要件にも依存し得る。追加のルールが、設定によってセットされ得、たとえば、無線デバイスは、少なくとも、無線デバイス１０が送信のために選択したリソースの総量の（パケット優先度／レイテンシに依存する）ある割合に関してミュートし得るか、または、無線デバイス１０は、無線デバイス１０によって選択されたリソースの総量のある割合超に関して送信をミュートしないことがある。
【００５９】
この実施形態の別の代替形態では、第２の無線デバイス１０’などの無線デバイスが、送信リソースのセットを選択するとき、その無線デバイスはまた、送信リソースの上記セットから、送信がその中で発生しないことになるリソースのセットを選択し得る。
【００６０】
この実施形態の別の代替形態では、無線デバイス１０は、無線デバイス１０のサイドリンクバッファ中に、ある送信オケージョンにおける送信のために利用可能なパケット、たとえば、媒体アクセス制御プロトコルデータユニット（ＭＡＣ  ＰＤＵ）がない場合、送信、たとえば、パディングビットを実施しないことになる。代わりに、無線デバイス１０は、そのような送信オケージョンに対して検知を実施し得る。たとえば、ＴＴＩ  ｎにおける送信オケージョンについて、送信のために利用可能なパケットがあるかどうかを決定するために、無線デバイス１０は、ＴＴＩ  ｎ−ｘにおけるバッファステータスを検査し得、ここで、ｘはたとえば１ｍｓであり得るか、またはｘは無線デバイス実装形態に依存することがある。たとえば、それは、無線デバイス１０が、送信のために物理レイヤにおいて、あるパケットのパス時に、そのパケットを処理するために必要とする時間であり得る。
【００６１】
上記の方法のうちのいくつかに従うことによって、無線デバイス１０は、次いで、いくつかの時間オケージョンにおいてサイドリンク送信をスキップし得る。起こり得るスループット劣化影響を補償するために、無線デバイス１０は、このサイドリンク送信をスキップする前または後に、１つのランダムに選択されたリソース上で送信し得る。
【００６２】
上記の方法のうちの１つに従って、無線デバイスがミュートしたリソースに対して、ＴＴＩ  ｎにおいて検知を実施すると、無線デバイス１０は、将来の送信オケージョンについて送信のために同じリソースを選択した１つ（または複数の）他の無線デバイスとの衝突を（ＳＣＩを読み取ることによって）検出することも検出しないこともある。ＳＣＩを読み取ることによって、衝突がまた、将来の送信オケージョンについて検出された場合、無線デバイス１０は、衝突する無線デバイスのＳＣＩ中でシグナリングされたリソースとは異なるリソースに対して再選択を実施し得る。別の代替形態では、無線デバイス１０は、衝突が将来の送信オケージョンについて検出された場合、たとえば、衝突するパケットまたは衝突する無線デバイスの優先度が、この無線デバイス１０によって送信されているパケットの優先度よりも低い場合でも、再選択を実施しない。また別の代替形態では、無線デバイス１０が、ＴＴＩ  ｎにおいて検出された無線デバイスと再度衝突しようとしている場合、無線デバイス１０は再選択を実施しないが、無線デバイス１０はまた、次の送信オケージョンをミュートする。
【００６３】
図６は、２つの実施形態における、無線通信ネットワーク１における、第１の無線デバイス１０など、無線デバイスの通信をハンドリングまたは管理するための無線ネットワークノード１２を表すブロック図である。
【００６４】
無線ネットワークノード１２は、本明細書の方法を実施するように設定された処理回路要素６０１、たとえば１つまたは複数のプロセッサを備え得る。
【００６５】
無線ネットワークノード１２は、設定モジュール６０２を備え得る。無線ネットワークノード１２、処理回路要素６０１、および／または設定モジュール６０２は、無線デバイスについて、無線デバイスのモードおよび能力に基づいて使用すべき無線リソースのプールを設定するように設定される。モードは、無線リソースを選択する様式によって規定されるリソースモードであり、たとえば、無線デバイスにおいて無線リソースを選択し、すなわち分散型リソース割り当てまたはモード４であり、あるいは無線ネットワークノードにおいて無線リソースを選択し、すなわち集中型リソース割り当てまたはモード３である。能力は、ＳＰＳ設定に従ってＳＣＩ中のリソース予約フィールドをセットする能力、ＳＣＩフォーマット中のモードインジケータをセットする能力、リソースが占有されているかどうかを検知し、フィードバックを与える能力、および／または、予約済みリソースの指示を受信し、これらを使用することを回避する能力など、無線デバイスのサイドリンク能力に関係する。能力は、無線デバイスのバージョン、たとえばＲｅｌ−１４無線デバイスまたはＲｅｌ−１５無線デバイスによって規定され得る。プールは、無線リソースの少なくとも２つのプール、すなわち、異なるモードおよび／または異なる能力の無線デバイスによって使用されるように設定された、無線リソースの第１のプールと無線リソースの第２のプールとであり得る。プールは無線リソースの少なくとも２つのプールを備え得、無線リソースの第１のプールは、第１のモードおよび第１の能力の無線デバイスによって使用されるように設定され、無線リソースの第２のプールは、第２のモードおよび第１の能力および／または第２の能力の無線デバイス、あるいは第１のモードおよび第２の能力の無線デバイスによって使用されるように設定される。
【００６６】
無線ネットワークノード１２は、送信モジュール６０３、たとえば送信機またはトランシーバを備え得る。無線ネットワークノード１２、処理回路要素６０１、および／または送信モジュール６０３は、１つまたは複数の無線デバイスにＳＩＢなどのデータまたは情報を送信するように設定され得、そのデータまたは情報は、無線リソースの設定されたプールを指示する。
【００６７】
無線ネットワークノード１２は、受信モジュール６０４、たとえば受信機またはトランシーバを備え得る。無線ネットワークノード１２、処理回路要素６０１、および／または受信モジュール６０４は、モードおよび／または能力を指示する無線デバイスからの指示を受信するように設定される。
【００６８】
無線ネットワークノード１２のための本明細書で説明される実施形態による方法は、それぞれ、少なくとも１つのプロセッサ上で実行されたとき、無線ネットワークノード１２によって実施されるように、少なくとも１つのプロセッサに、本明細書で説明されるアクションを行わせる、命令、すなわち、ソフトウェアコード部分を備える、たとえばコンピュータプログラム製品６０５またはコンピュータプログラムの手段によって実装される。コンピュータプログラム製品６０５は、コンピュータ可読記憶媒体６０６、たとえばディスク、ユニバーサルシリアルバス（ＵＳＢ）スティックまたは同様のものに記憶され得る。コンピュータプログラム製品を記憶したコンピュータ可読記憶媒体６０６は、少なくとも１つのプロセッサ上で実行されたとき、無線ネットワークノード１２によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。
【００６９】
無線ネットワークノード１２は、メモリ６０７をさらに備え得る。メモリは、無線リソースのプールの情報、無線デバイスの能力、無線デバイスのモード、使用される無線リソース、実行されるときに本明細書で開示される方法を実施するためのアプリケーション、および同様のものなど、データを記憶するために使用されるべき１つまたは複数のユニットを備える。したがって、無線ネットワークノード１２は処理回路要素とメモリとを備え得、前記メモリは前記処理回路要素によって実行可能な命令を備え、それにより、前記無線ネットワークノード１２は、本明細書の方法を実施するように動作可能である。無線ネットワークノード１２は、たとえばトランシーバ、送信機、受信機、および１つまたは複数のアンテナを備える、通信インターフェースをさらに備え得る。
【００７０】
図７は、無線通信ネットワーク１における無線デバイス１０の通信をハンドリングするための、本明細書の実施形態による第１の無線デバイス１０などの無線デバイスを、２つの実施形態において表すブロック図である。
【００７１】
無線デバイス１０は、本明細書の方法を実施するように設定された処理回路要素７０１、たとえば１つまたは複数のプロセッサを備え得る。
【００７２】
無線デバイス１０は、受信モジュール７０２、たとえば受信機またはトランシーバを備え得る。無線デバイス１０、処理回路要素７０１、および／または受信モジュール７０２は、無線ネットワークノード１２から、ＳＩＢなど、データまたは情報を受信するように設定される。データは、無線デバイスについて、無線デバイスのモードおよび能力に基づいて使用すべき無線リソースのプールを指示する。モードは、無線リソースを選択する様式によって規定されるリソースモードであり、能力は、無線デバイスのサイドリンク能力に関係する。リソースモードは、無線デバイスにおいてまたは無線ネットワークノードにおいて無線リソースを選択することによって規定され得る。サイドリンク能力は、半永続的スケジューリング設定に従ってサイドリンク能力情報中のリソース予約フィールドをセットする能力、サイドリンク能力情報フォーマット中のモードインジケータをセットする能力、リソースが占有されているかどうかを検知し、フィードバックを与える能力、および／または、予約済みリソースの指示を受信し、これらを使用することを回避する能力であり得る。サイドリンク能力は、無線デバイスのバージョンによって規定され得る。プールは無線リソースの少なくとも２つのプールを備え得、無線リソースの第１のプールは、第１のモードおよび第１の能力の無線デバイスによって使用されるように設定され、無線リソースの第２のプールは、第２のモードおよび第１の能力および／または第２の能力の無線デバイス、あるいは第１のモードおよび第２の能力の無線デバイスによって使用されるように設定される。
【００７３】
無線デバイス１０は使用モジュール７０３を備え得る。無線デバイス１０、処理回路要素７０１、および／または使用モジュール７０３は、受信されたデータに基づいて、無線通信ネットワークにおける通信のために１つまたは複数の無線リソースを使用するように設定される。無線デバイス１０、処理回路要素７０１、および／または使用モジュール７０３は、受信されたデータを考慮に入れて、無線デバイス１０のモードおよび能力に基づいて無線リソースを使用するように設定され得る。
【００７４】
無線デバイス１０は、送信モジュール７０４、たとえば送信機またはトランシーバを備え得る。無線デバイス１０、処理回路要素７０１、および／または送信モジュール７０４は、無線デバイス１０のモードおよび／または能力を指示する指示を送信するように設定され得る。
【００７５】
無線デバイス１０のための本明細書で説明される実施形態による方法は、少なくとも１つのプロセッサ上で実行されたとき、無線デバイス１０によって実施されるように、少なくとも１つのプロセッサに、本明細書で説明されるアクションを行わせる、命令、すなわち、ソフトウェアコード部分を備える、たとえばコンピュータプログラム製品７０５またはコンピュータプログラムによってそれぞれ実装され得る。コンピュータプログラム製品７０５は、コンピュータ可読記憶媒体７０６、たとえばディスク、ＵＳＢスティック、または同様のものに記憶され得る。コンピュータプログラム製品を記憶したコンピュータ可読記憶媒体７０６は、少なくとも１つのプロセッサ上で実行されたとき、無線デバイス１０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。
【００７６】
無線デバイス１０はメモリ７０７をさらに備え得る。メモリは、能力、モード、無線リソース、スケジューリング情報、実行されているときに本明細書で開示される方法を実施するためのアプリケーション、ならびに同様のものなど、データを記憶するために使用されるべき１つまたは複数のユニットを備える。したがって、無線デバイス１０は処理回路要素とメモリとを備え得、前記メモリは前記処理回路要素によって実行可能な命令を備え、それにより、前記無線デバイスは、本明細書の方法を実施するように動作可能である。無線デバイス１０は、たとえばトランシーバ、送信機、受信機、および１つまたは複数のアンテナを備える、通信インターフェースをさらに備え得る。
【００７７】
通信設計に精通している人々によって容易に理解されるように、その機能手段またはモジュールは、デジタル論理および／または１つまたは複数のマイクロコントローラ、マイクロプロセッサ、あるいは他のデジタルハードウェアを使用して実装され得る。いくつかの実施形態では、様々な機能のうちのいくつかまたはすべては、単一の特定用途向け集積回路（ＡＳＩＣ）において、あるいは、それらの間の適切なハードウェアおよび／またはソフトウェアインターフェースをもつ２つまたはそれ以上の別個のデバイスにおいてなど、一緒に実装され得る。機能のうちのいくつかは、たとえば、無線ネットワークノードの他の機能構成要素と共有されるプロセッサ上で実装され得る。
【００７８】
代替的に、説明される処理手段の機能エレメントのうちのいくつかは、専用ハードウェアの使用を通して与えられ得、他の機能エレメントは、適切なソフトウェアまたはファームウェアに関連して、ソフトウェアを実行するためのハードウェアを与えられる。したがって、本明細書で使用される「プロセッサ」または「コントローラ」という用語は、ソフトウェアを実行することが可能なハードウェアをもっぱら指すのではなく、限定はしないが、デジタル信号プロセッサ（ＤＳＰ）ハードウェア、ソフトウェアを記憶するための読取り専用メモリ（ＲＯＭ）、ソフトウェアおよび／あるいはプログラムまたはアプリケーションデータを記憶するためのランダムアクセスメモリ、ならびに不揮発性メモリを暗黙的に含み得る。従来のおよび／またはカスタムの他のハードウェアも含まれ得る。無線ネットワークノードの設計者は、これらの設計選択に固有のコスト、性能、および保守のトレードオフを諒解されよう。
【００７９】
図８Ａを参照すると、一実施形態によれば、通信システムが、無線アクセスネットワークなどのアクセスネットワーク３２１１とコアネットワーク３２１４とを備える、３ＧＰＰタイプセルラーネットワークなど、電気通信ネットワーク３２１０を含む。アクセスネットワーク３２１１は、本明細書の無線ネットワークノード１２の例であるＮＢ、ｅＮＢ、ｇＮＢ、または他のタイプの無線アクセスポイントなど、複数の基地局３２１２ａ、３２１２ｂ、３２１２ｃを備え、各々が、対応するカバレッジエリア３２１３ａ、３２１３ｂ、３２１３ｃを規定する。各基地局３２１２ａ、３２１２ｂ、３２１２ｃは、有線接続または無線接続３２１５上でコアネットワーク３２１４に接続可能である。カバレッジエリア３２１３ｃ中にある、無線デバイス１０の一例である第１のユーザ機器（ＵＥ）３２９１が、対応する基地局３２１２ｃに無線で接続するように、または対応する基地局３２１２ｃによってページングされるように設定される。カバレッジエリア３２１３ａ中の、本明細書の無線デバイスの一例である第２のＵＥ３２９２が、対応する基地局３２１２ａに無線で接続可能である。この例では複数のＵＥ３２９１、３２９２が示されているが、開示される実施形態は、唯一のＵＥがカバレッジエリア中にある状況、または唯一のＵＥが対応する基地局３２１２に接続している状況に等しくに適用可能である。
【００８０】
電気通信ネットワーク３２１０は、それ自体、ホストコンピュータ３２３０に接続され、ホストコンピュータ３２３０は、スタンドアロンサーバ、クラウド実装されたサーバ、分散サーバのハードウェアおよび／またはソフトウェアで、あるいはサーバファーム中の処理リソースとして具現され得る。ホストコンピュータ３２３０は、サービスプロバイダの所有または制御下にあり得るか、あるいはサービスプロバイダによってまたはサービスプロバイダの代わりに動作され得る。電気通信ネットワーク３２１０とホストコンピュータ３２３０との間の接続３２２１、３２２２が、コアネットワーク３２１４からホストコンピュータ３２３０まで直接延び得るか、または随意の中間ネットワーク３２２０を介して進み得る。中間ネットワーク３２２０は、公衆ネットワーク、プライベートネットワークまたはホストされたネットワークのうちの１つ、あるいはそれらのうちの２つ以上の組合せであり得、中間ネットワーク３２２０は、もしあれば、バックボーンネットワークまたはインターネットであり得、特に、中間ネットワーク３２２０は、２つまたはそれ以上のサブネットワーク（図示せず）を備え得る。
【００８１】
図８Ａの通信システムは全体として、接続されたＵＥ３２９１、３２９２のうちの１つとホストコンピュータ３２３０との間のコネクティビティを可能にする。コネクティビティは、オーバーザトップ（ＯＴＴ）接続３２５０として説明され得る。ホストコンピュータ３２３０および接続されたＵＥ３２９１、３２９２は、アクセスネットワーク３２１１、コアネットワーク３２１４、任意の中間ネットワーク３２２０および可能なさらなるインフラストラクチャ（図示せず）を媒介として使用して、ＯＴＴ接続３２５０を介して、データおよび／またはシグナリングを通信するように設定される。ＯＴＴ接続３２５０は、ＯＴＴ接続３２５０が通過する、関与する通信デバイスが、アップリンク通信およびダウンリンク通信のルーティングに気づいていないという意味で、ＯＴＴ接続３２５０は透過的であり得る。たとえば、基地局３２１２は、接続されたＵＥ３２９１にフォワーディング（たとえば、ハンドオーバ）されるべき、ホストコンピュータ３２３０から発生したデータを伴う着信ダウンリンク通信の過去のルーティングに関して、通知されないことがあり、または通知される必要がない。同様に、基地局３２１２は、ＵＥ３２９１から発生してホストコンピュータ３２３０に向かう発信アップリンク通信の将来ルーティングに気づいている必要がない。
【００８２】
次に、図８Ｂを参照しながら、一実施形態による、先の段落で説明されたＵＥ、基地局およびホストコンピュータの例示的な実装形態が説明される。通信システム３３００では、ホストコンピュータ３３１０は、通信システム３３００の異なる通信デバイスのインターフェースとの有線接続または無線接続をセットアップおよび維持するように設定された通信インターフェース３３１６を含む、ハードウェア３３１５を備える。ホストコンピュータ３３１０は、記憶能力および／または処理能力を有し得る、処理回路要素３３１８をさらに備える。特に、処理回路要素３３１８は、命令を実行するように適応された、１つまたは複数のプログラマブルプロセッサ、特定用途向け集積回路、フィールドプログラマブルゲートアレイまたはこれらの組合せ（図示せず）を備え得る。ホストコンピュータ３３１０はソフトウェア３３１１をさらに備え、ソフトウェア３３１１は、ホストコンピュータ３３１０に記憶されるかまたはホストコンピュータ３３１０によってアクセス可能であり、処理回路要素３３１８によって実行可能である。ソフトウェア３３１１は、ホストアプリケーション３３１２を含む。ホストアプリケーション３３１２は、ＵＥ３３３０およびホストコンピュータ３３１０において終端するＯＴＴ接続３３５０を介して接続するＵＥ３３３０など、リモートユーザにサービスを与えるように動作可能であり得る。リモートユーザにサービスを与える際に、ホストアプリケーション３３１２は、ＯＴＴ接続３３５０を使用して送信されるユーザデータを与え得る。
【００８３】
通信システム３３００は、電気通信システム中に与えられる基地局３３２０をさらに含み、基地局３３２０は、基地局３３２０がホストコンピュータ３３１０およびＵＥ３３３０と通信することを可能にするハードウェア３３２５を備える。ハードウェア３３２５は、通信システム３３００の異なる通信デバイスのインターフェースとの有線接続または無線接続をセットアップおよび維持するための通信インターフェース３３２６、ならびに、基地局３３２０によってサーブされるカバレッジエリア（図８Ｂに図示せず）中にあるＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように設定され得る。接続３３６０は直接的であり得るか、あるいは、接続３３６０は、電気通信システムのコアネットワーク（図８Ｂに図示せず）を、および／または電気通信システムの外部の１つまたは複数の中間ネットワークを通過し得る。図示の実施形態では、基地局３３２０のハードウェア３３２５は、処理回路要素３３２８をさらに含み、処理回路要素３３２８は、命令を実行するように適応された、１つまたは複数のプログラマブルプロセッサ、特定用途向け集積回路、フィールドプログラマブルゲートアレイ、またはこれらの組合せ（図示せず）を備え得る。基地局３３２０は、内部的に記憶されるかまたは外部接続を介してアクセス可能なソフトウェア３３２１をさらに有する。
【００８４】
通信システム３３００は、すでに言及されたＵＥ３３３０をさらに含む。ＵＥ３３３０のハードウェア３３３５は、ＵＥ３３３０が現在位置するカバレッジエリアをサーブする基地局との無線接続３３７０をセットアップおよび維持するように設定された無線インターフェース３３３７を含み得る。ＵＥ３３３０のハードウェア３３３５は、命令を実行するように適応された、１つまたは複数のプログラマブルプロセッサ、特定用途向け集積回路、フィールドプログラマブルゲートアレイまたはこれらの組合せ（図示せず）を備え得る、処理回路要素３３３８をさらに含む。ＵＥ３３３０は、ＵＥ３３３０に記憶されるかまたはＵＥ３３３０によってアクセス可能であり、処理回路要素３３３８によって実行可能である、ソフトウェア３３３１をさらに備える。ソフトウェア３３３１はクライアントアプリケーション３３３２を含む。クライアントアプリケーション３３３２は、ホストコンピュータ３３１０のサポートを伴って、ＵＥ３３３０を介して人間のまたは人間でないユーザにサービスを与えるように動作可能であり得る。ホストコンピュータ３３１０では、実行しているホストアプリケーション３３１２は、ＵＥ３３３０およびホストコンピュータ３３１０において終端するＯＴＴ接続３３５０を介して、実行しているクライアントアプリケーション３３３２と通信し得る。ユーザにサービスを与える際に、クライアントアプリケーション３３３２は、ホストアプリケーション３３１２から要求データを受信し、要求データに応答してユーザデータを与え得る。ＯＴＴ接続３３５０は、要求データとユーザデータの両方を転送し得る。クライアントアプリケーション３３３２は、クライアントアプリケーション３３３２が与えるユーザデータを生成するためにユーザと対話し得る。
【００８５】
図８Ｂに示されているホストコンピュータ３３１０、基地局３３２０およびＵＥ３３３０は、それぞれ、図８Ａのホストコンピュータ３２３０、基地局３２１２ａ、３２１２ｂ、３２１２ｃのうちの１つ、およびＵＥ３２９１、３２９２のうちの１つと同等であり得ることに留意されたい。つまり、これらのエンティティの内部の働きは、図８Ｂに示されているものであり得、別個に、周囲のネットワークトポロジーは、図８Ａのものであり得る。
【００８６】
図８Ｂでは、ＯＴＴ接続３３５０は、中間デバイスとこれらのデバイスを介したメッセージの正確なルーティングとへの明示的言及なしに、基地局３３２０を介したホストコンピュータ３３１０とユーザ機器３３３０との間の通信を示すために、抽象的に描かれている。ネットワークインフラストラクチャが、ルーティングを決定し得、ネットワークインフラストラクチャは、ＵＥ３３３０からまたはホストコンピュータ３３１０を動作させるサービスプロバイダから、またはその両方からルーティングを隠すように設定され得る。ＯＴＴ接続３３５０がアクティブである間、ネットワークインフラストラクチャは、さらに、ネットワークインフラストラクチャが、（たとえば、ネットワークの負荷分散考慮事項または再設定に基づいて）ルーティングを動的に変更する決定を行い得る。
【００８７】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用してＵＥ３３３０に与えられるＯＴＴサービスの性能を改善する。より正確には、これらの実施形態の教示は、レイテンシに影響を及ぼし（レイテンシを低減し）、それにより、低減されたユーザ待ち時間およびより良好な応答性などの利益を与え得る、異なる無線デバイスの無線リソースの使用率を改善し得る。
【００８８】
１つまたは複数の実施形態が改善する、データレート、レイテンシおよび他のファクタを監視する目的での、測定プロシージャが与えられ得る。測定結果の変動に応答して、ホストコンピュータ３３１０とＵＥ３３３０との間のＯＴＴ接続３３５０を再設定するための随意のネットワーク機能性がさらにあり得る。測定プロシージャおよび／またはＯＴＴ接続３３５０を再設定するためのネットワーク機能性は、ホストコンピュータ３３１０のソフトウェア３３１１においてまたはＵＥ３３３０のソフトウェア３３３１において、またはその両方において実装され得る。実施形態では、ＯＴＴ接続３３５０が通過する通信デバイスにおいて、またはその通信デバイスに関連して、センサー（図示せず）が展開され得、センサーは、上記で例示された監視された量の値を供給すること、またはソフトウェア３３１１、３３３１が監視された量を算出または推定し得る他の物理量の値を供給することによって、測定プロシージャに参加し得る。ＯＴＴ接続３３５０の再設定は、メッセージフォーマット、再送信セッティング、好ましいルーティングなどを含み得、再設定は、基地局３３２０に影響を及ぼす必要がなく、再設定は、基地局３３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ３３１０の測定を容易にするプロプライエタリＵＥシグナリングを伴い得る。測定は、ソフトウェア３３１１、３３３１が、伝搬時間、エラーなどを監視しながら、ソフトウェア３３１１、３３３１が、ＯＴＴ接続３３５０を使用して、メッセージ、特に、空のまたは「ダミー」メッセージを送信させるという点で実装され得る。
【００８９】
図９は、一実施形態による、通信システムにおいて実装される方法を示すフローチャートである。通信システムは、図８Ａおよび図８Ｂを参照しながら説明されたものであり得る、ホストコンピュータ、基地局およびＵＥを含む。本開示の簡単のために、図９への図面参照のみがこのセクションに含まれる。方法の第１のステップ３４１０において、ホストコンピュータはユーザデータを与える。第１のステップ３４１０の随意のサブステップ３４１１において、ホストコンピュータは、ホストアプリケーションを実行することによって、ユーザデータを与える。第２のステップ３４２０において、ホストコンピュータは、ＵＥにユーザデータを搬送する送信を始動する。随意の第３のステップ３４３０において、基地局は、本開示全体にわたって説明される実施形態の教示に従って、ホストコンピュータが始動した送信において搬送されたユーザデータをＵＥに送信する。随意の第４のステップ３４４０において、ＵＥは、ホストコンピュータによって実行されたホストアプリケーションに関連するクライアントアプリケーションを実行する。
【００９０】
図１０は、一実施形態による、通信システムにおいて実装される方法を示すフローチャートである。通信システムは、図８Ａおよび図８Ｂを参照しながら説明されたものであり得る、ホストコンピュータ、基地局およびＵＥを含む。本開示の簡単のために、図１０への図面参照のみがこのセクションに含まれる。方法の第１のステップ３５１０において、ホストコンピュータはユーザデータを与える。随意のサブステップ（図示せず）において、ホストコンピュータは、ホストアプリケーションを実行することによって、ユーザデータを与える。第２のステップ３５２０において、ホストコンピュータは、ＵＥにユーザデータを搬送する送信を始動する。送信は、本開示全体にわたって説明される実施形態の教示に従って、基地局を介して進み得る。随意の第３のステップ３５３０において、ＵＥは、送信において搬送されたユーザデータを受信する。
【００９１】
図１１は、一実施形態による、通信システムにおいて実装される方法を示すフローチャートである。通信システムは、図８Ａおよび図８Ｂを参照しながら説明されたものであり得る、ホストコンピュータ、基地局およびＵＥを含む。本開示の簡単のために、図１１への図面参照のみがこのセクションに含まれる。方法の随意の第１のステップ３６１０において、ＵＥは、ホストコンピュータによって与えられた入力データを受信する。追加または代替として、随意の第２のステップ３６２０において、ＵＥはユーザデータを与える。第２のステップ３６２０の随意のサブステップ３６２１において、ＵＥは、クライアントアプリケーションを実行することによって、ユーザデータを与える。第１のステップ３６１０のさらなる随意のサブステップ３６１１において、ＵＥは、ホストコンピュータによって与えられた受信された入力データに反応してユーザデータを与える、クライアントアプリケーションを実行する。ユーザデータを与える際に、実行されたクライアントアプリケーションは、ユーザから受信されたユーザ入力をさらに考慮し得る。ユーザデータが与えられた特定の様式にかかわらず、ＵＥは、随意の第３のサブステップ３６３０において、ホストコンピュータへのユーザデータの送信を開始する。方法の第４のステップ３６４０において、ホストコンピュータは、本開示全体にわたって説明される実施形態の教示に従って、ＵＥから送信されたユーザデータを受信する。
【００９２】
図１２は、一実施形態による、通信システムにおいて実装される方法を示すフローチャートである。通信システムは、図８Ａおよび図８Ｂを参照しながら説明されたものであり得る、ホストコンピュータ、基地局およびＵＥを含む。本開示の簡単のために、図１２への図面参照のみがこのセクションに含まれる。方法の随意の第１のステップ３７１０において、本開示全体にわたって説明される実施形態の教示に従って、基地局は、ＵＥからユーザデータを受信する。随意の第２のステップ３７２０において、基地局は、ホストコンピュータへの、受信されたユーザデータの送信を始動する。第３のステップ３７３０において、ホストコンピュータは、基地局によって始動された送信において搬送されたユーザデータを受信する。
【００９３】
上記の説明および添付の図面は、本明細書で教示された方法および装置の非限定的な例を表すことが諒解されよう。したがって、本明細書で教示された装置および技法は、上記の説明および添付の図面によって限定されない。代わりに、本明細書の実施形態は、以下の特許請求の範囲およびそれらの法的均等物によってのみ限定される。
【００９４】
参考文献
2021500763.tif 000003
【図１】
2021500763.tif 000004
【図２】
2021500763.tif 000005
【図３ａ】
2021500763.tif 000006
【図３ｂ】
2021500763.tif 000007
【図３ｃ】
2021500763.tif 000008
【図４】
2021500763.tif 000009
【図５】
2021500763.tif 000010
【図６】
2021500763.tif 000011
【図７】
2021500763.tif 000012
【図８Ａ】
2021500763.tif 000013
【図８Ｂ】
2021500763.tif 000014
【図９】
2021500763.tif 000015
【図１０】
2021500763.tif 000016
【図１１】
2021500763.tif 000017
【図１２】
2021500763.tif 000018
【国際調査報告】
2021500763.tif 000019
2021500763.tif 000020